(57)【特許請求の範囲】
【請求項１】
折り畳み可能なマット（１００）であって，
複数の折目線（１１〜１６）と，
前記マット（１００）の外縁と前記複数の折目線（１１〜１６）とによって区画された複数の領域（２１〜２６）と，を有し，
前記複数の領域（２１〜２６）は，少なくとも，
２つの主領域（２１，２２）と，
４つの副領域（２３，２４，２５，２６）と，を含み，
前記２つの主領域（２１，２２）は，それぞれ，前記マット（１００）を二分する直線状の中央折目線（１１，１２）上に１つの頂点が位置し，当該中央折目線（１１，１２）を対称軸として線対称となる形状であり，
前記４つの副領域（２３，２４，２５，２６）は，それぞれ，前記中央折目線（１１，１２）上に２つの頂点と１つの辺が位置し，他の１つの辺を前記２つの主領域（２１，２２）のいずれかの辺と共有する形状である
マット。
【請求項２】
前記複数の折目線（１１〜１６）は，少なくとも，
前記中央折目線（１１，１２）と，
前記主領域（２１，２２）と前記副領域（２３，２４，２５，２６）とが共有する辺に相当する傾斜折目線（１３，１４，１５，１６）と，を含み，
前記マット（１００）の表面側から見たときに，
前記中央折目線（１１，１２）は，山折り線であり，
前記傾斜折目線（１３，１４，１５，１６）は，谷折り線である
請求項１に記載のマット。
【請求項３】
折り畳まれた状態では，平面視において前記主領域（２１，２２）と同じ形状となり，
展開された状態では，平面視において他のどの角とも等しくない角を１つ以上有する形状となる
請求項２に記載のマット。
【請求項４】
前記２つの主領域（２１，２２）は，正方形を除く長方形状であり，
前記４つの副領域（２３，２４，２５，２６）は，直角二等辺三角形を除く直角三角形状である
請求項３に記載のマット。
【請求項５】
複数のクッション部材（３０）と，
前記複数のクッション部材（３０）の表面側を被覆する表面シート部材（４０）と，
前記複数のクッション部材（３０）の裏面側を被覆する裏面シート部材（５０）と，を備え，
前記複数のクッション部材（３０）の間において前記表面シート部材（４０）と前記裏面シート部材（５０）を接合することにより，前記複数の折目線（１１〜１６）が形成されており，
前記複数のクッション部材（３０）は，ぞれぞれ，前記複数の領域（２１〜２６）に対応する形状で，当該複数の領域（２１〜２６）に配置されている
請求項１から請求項４のいずれかに記載のマット。
【発明の詳細な説明】
【技術分野】
【０００１】
本発明は，コンパクトに折り畳んで携帯することのできるマットに関する。本発明のマットは，例えばベンチの上や，床の上，地面の上などに敷く敷物として用いることができ，その上に着座したり，鞄などを置いたりすることができる。
【背景技術】
【０００２】
野外において少しの休息をとる場合には，ベンチや地面にマット（敷物）を敷いて座ることがある。また，鞄を地面に直接置くことに抵抗がある場合には，地面にマットを敷いてその上に鞄を置くことで，鞄に汚れが付着することを防止できる。また，室内においても，靴を脱いで脚を休めるときなど，脚が床に直接触れないように床の上にマットを敷いておくと便利である。このため，従来から携帯に便利な様々なマットが考案されてきた。
【０００３】
例えば，特許文献１には，ピクニック等のレジャー用として使用される折畳式の携帯用敷物が開示されている。特許文献１の敷物は，長方形状の複数のゴザ部材が隣接して並べられており，各ゴザ部材を柔軟な帯布で連結することとしている。これにより，ゴザ部材の間に折り目が形成されるため，この折り目に沿って各ゴザ部材を折り重ねて収納することができるとされている。
【先行技術文献】
【特許文献】
【０００４】
【特許文献１】特開平８−２１５０２４号公報
【発明の概要】
【発明が解決しようとする課題】
【０００５】
しかしながら，特許文献１に記載の携帯用敷物は，コンパクトに折り畳むことができるものの，折り畳んだ状態においては，利用者やその持ち物が触れる表面と，床や地面に直接接する裏面とが重なり合うという問題があった。つまり，敷物を床や地面に敷いた場合には，その裏面には汚れが付着するおそれがある一方で，敷物の表面は，利用者が座ったりその持ち物が置かれる面であるため，清潔に保たれている必要がある。しかし，敷物の収納時に裏面が表面に触れることとなると，その裏面に付着している汚れが表面にも移るおそれがあり，表面を清潔に維持することができなかった。そうすると，折り畳みと展開を繰り返しているうちに，敷物の裏面と表面の両方が汚れていくこととなり，結局のところ地面や床に直接座ったり荷物を置いたりする場合と変わらなくなってしまう。
【０００６】
従って，現在では，裏面が表面に直接触れることのないように折り畳むことで，表面を清潔に保つことが可能であり，尚且つコンパクトに収納できる利便性の高いマットが求められている。
【課題を解決するための手段】
【０００７】
本発明の発明者は，従来発明の問題を解決する手段について鋭意検討した結果，マットに形成される折目線の配置と，この折目線により画定される領域の形状とを工夫することにより，裏面が表面に直接触れないように折り畳むことのできるマットを得ることができるという知見を得た。そして，本発明者は，上記知見に基づけば，従来技術の課題を解決できることに想到し，本発明を完成させた。具体的に説明すると，本発明は以下の構成を有する。
【０００８】
本発明は，折りたたみ可能なマット１００に関する。
本発明のマットは，複数の折目線１１〜１６と，複数の領域２１〜２６と，を有する。この複数の領域２１〜２６は，マット１００の外縁と複数の折目線１１〜１６とによって区画された領域である。
複数の領域２１〜２６は，少なくとも，２つの主領域２１，２２と，４つの副領域２３，２４，２５，２６と，を含む。
２つの主領域２１，２２は，それぞれ，マット１００を二分する直線状の中央折目線１１，１２上に１つの頂点が位置し，その中央折目線１１，１２を対称軸として線対称となる形状となっている。
また，４つの副領域２３，２４，２５，２６は，それぞれ，中央折目線１１，１２上に２つの頂点と１つの辺が位置し，他の１つの辺を２つの主領域２１，２２のいずれかと共有する形状となっている。
【０００９】
敷物としてのマット１００を，上記のような複数の折目線１１〜１６と複数の領域２１〜２６とによって構成することで，汚れの付着する裏面が清潔に保たれるべき表面に対して直接触れることのないように折り畳むことができる。さらに，上記の構成によれば，複数の領域２１〜２６が折り重なることとなるため，マットをコンパクトに折り畳んで収納することができる。
【００１０】
本発明のマットにおいて，複数の折目線１１〜１６は，少なくとも，中央折目線１１，１２と，傾斜折目線１３，１４，１５，１６が含まれることが好ましい。この傾斜折目線１３，１４，１５，１６は，主領域２１，２２と副領域２３，２４，２５，２６とが共有する辺に相当する折目線であり，直線状の中央折目線１１，１２に対して所定角度で傾斜している。
ここで，マット１００の表面側から見たときに，中央折目線１１，１２は，山折り線であり，傾斜折目線１３，１４，１５，１６は，谷折り線であることが好ましい。なお，ここにいう「山折り線」とは，表面側に向かって突出するように折れ曲がる折れ目であり，「谷折り線」とは，裏面側に向かって突出するように折れ曲がる折れ目である。
【００１１】
上記構成のように，中央折目線を山折り線とし，他の傾斜折目線を谷折り線とすることで，裏面が表面に直接触れないように，マット１００をスムーズに折り畳むことができる。
【００１２】
本発明のマットは，折り畳まれた状態では，平面視において主領域２１，２２と同じ形状となる。他方，本発明のマットは，展開された状態では，平面視において他のどの角とも等しくない角を１つ以上（又は２つ以上）有する形状となることが好ましい。なお，ここにいう「同じ形状」には，合同又は相似の形状が含まれる。
【００１３】
上記構成のように，本発明のマットは，その展開時において，長方形ではない，歪みのあるデザインされた形状となることが好ましい。すなわち，本発明のマットは，折畳状態では，主領域２１，２２と同じ単純な形状（例えば長方形）となるが，展開状態では，折畳時の形状からは予測し得ないユニークな形状となる。これにより，利用者に対して驚きを与えることができるため，消費者の購買意欲を高めることができる。他方で，折畳時状態では主領域２１，２２と同じ単純な形状となるため，コンパクトに収納して持ち運ぶことができる。
【００１４】
さらに，本発明のマットが展開された状態において他のどの角とも等しくない特徴的な角を１つ以上（又は２つ以上）有することで，マットの利便性が向上する。例えば，マットを敷くためのスペースが狭い場合に，マットを形成する全ての角が直角であったり，マットを形成する全ての角が等しかったりすると，この狭いスペースにマットを適切に敷くことができない場合がある。これに対して，本発明の好ましい形態のように，例えばマットを形成する角の一部を特徴的な鋭角とすることで，少し幅の狭い隙間にもマットの一部を差しこむことができる。これにより，狭いスペースにもマットを敷くことができる。また，例えばマットを形成する角の一部を特徴的な鈍角とすることで，マットを広い範囲に広げて使用することもできる。このように，本発明は，展開時におけるマットの形状を，長方形のような均一な角を持つ形状とはせずに，あえて一部の統一性を崩して，様々な種類の角によって構成された形状としている。これにより，本発明のマットは，設置する状況に適した様々な使い方をすることができるようになる。
【００１５】
本発明のマットは，２つの主領域２１，２２は，正方形を除く長方形状であり，４つの副領域２３，２４，２５，２６は，直角二等辺三角形を除く直角三角形状であることが好ましい。
【００１６】
上記構成のように，本発明のマットを２つの長方形（正方形を除く）と４つの直角三角形（直角二等辺三角形を除く）を含んだ構成とすることで，上述したように，マットの展開時の形状を，その折畳時の形状からは予測することのできないデザイン化されたユニークな形状とすることができる。また，折畳時のマットは長方形状となるため，コンパクトに収納して持ち運ぶことができる。
【００１７】
本発明のマットは，複数のクッション部材３０と，表面シート部材４０と，裏面シート部材５０を備えることが好ましい。表面シート部材４０は，複数のクッション部材３０の表面側を被覆するシート状の部材であり，裏面シート部材５０は，複数のクッション部材３０の裏面側を被覆するシート状の部材である。なお，表面シート部材４０と裏面シート部材５０は，一体であってもよいし別体であってもよい。
この場合に，複数のクッション部材３０の間において表面シート部材４０裏面シート部材５０を接合することにより，複数の折目線１１〜１６が形成される。ここにいう「接合」には，縫糸による縫合や，接着剤による接着，シート同士の融着などが含まれる。
また，複数のクッション部材３０は，それぞれ，複数の領域２１〜２６に対応する形状であり，当該複数の領域２１〜２６に配置されている。
【００１８】
上記構成のように，表面シート部材４０と裏面シート部材５０の間にクッション部材３０を介在させることで，マットのクッション性が高まる。また，クッション部材３０の断熱効果により，地面や床の冷たさがマットの上に着座した利用者に伝わることを防止できる。さらに，クッション部材３０の隙間において表面シート部材４０と裏面シート部材５０を接合させることで，マットを折り畳む作業や展開させる作業をよりスムーズに行うことができる。
【発明の効果】
【００１９】
本発明によれば，裏面が表面に直接触れることのないように折り畳むことで，その表面を清潔に保つことが可能であり，尚且つコンパクトに収納できる利便性の高いマットを提供することができる。
【図面の簡単な説明】
【００２０】
【図１】図１は，本発明の好ましい形態に係るマットの設計図を示している。
【図２】図２は，本発明の好ましい形態に係るマットの平面図を示している。
【図３】図３は，図２に示したＡ−Ａ線におけるマットの断面構造を示している。
【図４】図４は，マットが展開状態から折畳状態に変形する途中の状態を示している。
【図５】図５は，マットの折畳状態を示した斜視図である。
【図６】図６は，本発明に係るマットの他の例の設計図を示している。
【発明を実施するための形態】
【００２１】
以下，図面を用いて本発明を実施するための形態について説明する。本発明は，以下に説明する形態に限定されるものではなく，以下の形態から当業者が自明な範囲で適宜変更したものも含む。
なお，本願明細書において「Ａ〜Ｂ」とは，「Ａ以上Ｂ以下」であることを意味する。
また，本願明細書において，「長方形」というときは，正方形を除く長方形を意味する。すなわち，本願明細書にいう「長方形」とは，４つの直角と，平行な２つの長辺と，平行な２つの短辺とから構成される形状を意味する。また，本願明細書において，「直角三角形」とは，直角二等辺三角形を除く直角三角形を意味する。すなわち，本願明細書にいう「直角三角形」とは，１つの直角と，角度の異なる２つの鋭角と，斜辺と，長い隣辺（長隣辺）と，短い隣辺（短隣辺）とから構成される形状を意味する。
【００２２】
図１は，本発明の好ましい形態に係るマット１００の設計図を示している。図１（ａ）は，マット１００の展開状態を示し，図１（ｂ）は，マット１００の折畳状態を示している。図１に示されるように，平面視において，展開時のマット１００は歪みのあるユニークな四角形状となり，折畳時のマット１００は整った長方形状となる。
【００２３】
具体的に説明すると，展開時のマット１００は，対角に位置する２つの直角，及び対角に位置する鋭角と鈍角の４つの角を含んでいる。図１（ａ）において，マット１００の鋭角の角度は符号θ１で示されており，鈍角の角度は符号θ２で示されている。マット１００の鋭角θ１は，例えば２０〜８５度又は４５〜８０度であることが好ましく，６０〜８０度であることが特に好ましい。他方，本実施形態において，θ１＋θ２は１８０度となる。このため，マット１００の鈍角θ２は，例えば，９５〜１６０度又は１００〜１３５度であることが好ましく，１００〜１２０度であることが特に好ましい。
【００２４】
このようにして，展開時のマット１００の形状を，他のどの角とも等しくない角（θ１，θ２）を２つ以上有する形状とすることで，様々な用途でマット１００を用いることができる。例えば，マット１００を敷くスペースが狭い場合には，その狭いスペースにマット１００の鋭角（θ１）を差し込むようにすればよい。また，マット１００を敷くスペースが広い場合には，利用者は，マット１００の鈍角（θ２）側に臀部が乗るようにして，マット１００の上に座ることができる。また，マット１００を敷くスペースに直角の角が在る場合は，その部分にマット１００の直角を当てるようにして設置することもできる。このように，展開時のマットの形状を単純な長方形や正方形とするよりも，図１に示したようなユニークな角（鋭角と鈍角）のある四角形状とすることで，マット１００の利便性を高めることができる。
【００２５】
また，図１（ｂ）に示されるように，折畳時のマット１００は，その展開時の形状に反して，整った綺麗な長方形状となる。このため，折畳時のマット１００は，簡単なケースに収納したり鞄に収納したりして，手軽に持ち運ぶことができる。
【００２６】
図１に示された例において，マット１００は，合計６本の折目線１１〜１６と，これらの折目線１１〜１６とマット１００の外縁によって区画された合計６つの領域２１〜２６とによって構成されている。折目線１１〜１６には，第１の中央折目線１１，第２の中央折目線１２，第１の傾斜折目線１３，第２の傾斜折目線１４，第３の傾斜折目線１５，及び第４の傾斜折目線１６が含まれる。また，領域２１〜２６には，第１の長方形領域（主領域）２１，第２の長方形領域（主領域）２２，第１の三角形領域（副領域）２３，第２の三角形領域（副領域）２４，第３の三角形領域（副領域）２５，及び第４の三角形領域（副領域）２６が含まれる。第１の長方形領域２１と第２の第２の長方形領域２２は，共に合同な長方形である。また，第１の三角形領域２３，第２の三角形領域２４，第３の三角形領域２５，及び第４の三角形領域２６は，すべて合同な直角三角形となっている。
【００２７】
具体的に説明すると，まず，マット１００の中央には，このマット１００を二分するように延びる直線状の中央折目線１１，１２が形成されている。中央折目線１１，１２は，その延伸方向の中央を基準にして，第１の中央折目線１１と第２の中央折目線１２とに分けられる。この第１の中央折目線１１と第２の中央折目線１２は，一直線上に繋がっており，その長さも等しい。本実施形態においては，第１の中央折目線１１と第２の中央折目線１２の連結点を，マット１００の中心１０と定義している。
【００２８】
また，図１に示されるように，第１の長方形領域２１の一つの頂点と第２の長方形領域２２の一つの頂点とが，中央折目線１１，１２上に，より具体的にはマット１００の中心１０上に位置している。第１の長方形領域２１と第２の長方形領域２２は，中央折目線１１，１２を対称軸として互いに線対称となる形状である。第１の長方形領域２１と第２の長方形領域２２を構成する４つの直角のうち，マット１００の中心１０上に位置する角の対角となる直角が，マット１００の外形をなす直角となっている。つまり，マット１００を外形は，２つの直角と１つの鋭角と１つの鈍角を含む四角形状であるが，このうちの２つの直角は，第１の長方形領域２１と第２の長方形領域２２によって形成されている。
【００２９】
また，第１の三角形領域２３，第２の三角形領域２４，第３の三角形領域２５，及び第４の三角形領域２６は，合同な図形となっている。第１〜第４の三角形領域２３〜２６は，それぞれ，中央折目線１１，１２上に２つの頂点と１つの辺が位置し，他の１つの辺を第１の長方形領域２１又は第２の長方形領域２２と共有している。具体的に説明すると，第１の三角形領域２３と第２の三角形領域２４は，第１の中央折目線１１によって斜辺が形成されており，この第１の中央折目線１１を対称軸として互いに線対称な図形（直角三角形）となっている。第１の三角形領域２３の短隣辺は，第１の長方形領域２１の短辺と一致している。また，第２の三角形領域２４の短隣辺は，第２の長方形領域２２の短辺と一致している。第１の三角形領域２３と第２の三角形領域２４の長隣辺は，マット１００の外形の一部を形成している。他方，第３の三角形領域２５と第４の三角形領域２６は，第２の中央折目線１２によって斜辺が形成されており，この第２の中央折目線１２を対称軸として互いに線対称な図形（直角三角形）となっている。第３の三角形領域２５の長隣辺は，第１の長方形領域２１の長辺と一致している。また，第４の三角形領域２６の長隣辺は，第２の長方形領域２２の長辺と一致している。第３の三角形領域２５と第４の三角形領域２６の短隣辺は，マット１００の外形の一部を形成している。
【００３０】
さらに，第１の傾斜折目線１３は，第１の長方形領域２１と第１の三角形領域２３の境界線に相当している。つまり，第１の傾斜折目線１３は，第１の長方形領域２１の短辺，及び第１の三角形領域２３の短隣辺を形成している。また，第２の傾斜折目線１４は，第２の長方形領域２２と第２の三角形領域２４の境界線に相当している。つまり，第２の傾斜折目線１４は，第２の長方形領域２２の短辺，及び第２の三角形領域２４の短隣辺を形成している。また，第３の傾斜折目線１５は，第１の長方形領域２１と第３の三角形領域２５の境界線に相当している。つまり，第３の傾斜折目線１５は，第１の長方形領域２１の長辺，及び第３の三角形領域２５の長隣辺を形成している。また，第４の傾斜折目線１６は，第２の長方形領域２２と第４の三角形領域２６の境界線に相当している。つまり，第４の傾斜折目線１６は，第２の長方形領域２２の長辺，及び第４の三角形領域２６の長隣辺を形成している。
【００３１】
図１に示されるように，第１の中央折目線１１，第２の中央折目線１２，第１の傾斜折目線１３，第２の傾斜折目線１４，第３の傾斜折目線１５，及び第４の傾斜折目線１６は，それぞれ，その一端がマット１００の中心１０において交わっている。
【００３２】
さらに詳しく説明すると，図１に示されるように，第１〜第４の三角形領域２３〜２６は，それぞれ，１つの直角と，θ１の半分の角（θ１／２）と，θ２の半分の角（θ１／２）とから構成された直角二等辺三角形である。当然のことながら，角（θ１／２）と角（θ１／２）の和は，９０度（直角）に相当する。ここで，上述したとおり，角θ１はマット１００を構成する１つの鋭角であり，角θ２はマット１００を構成する１つの鈍角である（θ１＜θ２）。すなわち，第１の三角形領域２３と第２の三角形領域２４の小さい角（θ１／２）を合わせることによって，マット１００の鋭角（θ１）が形成されている。また，第３の三角形領域２５と第４の三角形領域２６の大きい角（θ２／２）を合わせせることによって，マット１００の鈍角（θ２）が形成されている。
【００３３】
また，第１〜第４の三角形領域２３〜２６は，それぞれ，第１の長方形領域２１と第２の長方形領域２２を対角線に沿って二等分した形状に相当する。すなわち，第１の三角形領域２３と第２の三角形領域２４の斜辺を形成している第１の中央折目線１１の長さ，及び第３の三角形領域２５と第４の三角形領域２６の斜辺を形成している第２の中央折目線１２の長さは，それぞれ，第１の長方形領域２１と第２の長方形領域２２の対角線の長さと一致している。このような条件を満たすことで，図１（ａ）に示されるように，展開時のマット１００の外形が四角形状となる。また，図１（ｂ）に示されるように，折畳時のマット１００の形状が，第１の長方形領域２１と第２の長方形領域２２と同じ長方形状となる。これにより，マット１００をコンパクトに折り畳むことが可能となる。
【００３４】
さらに，本実施形態において，マット１００の表面側から見たときに，各中央折目線１１，１２は山折り線となり，各傾斜折目線１３，１４，１５，１６は，谷折り線となる。ここにいう「山折り線」とは，表面側に向かって突出するように折れ曲がる折れ目であり，「谷折り線」とは，裏面側に向かって突出するように折れ曲がる折れ目である。図１では，便宜的に，山折り線と谷折り線を区別して示している。このように，山折り線と谷折り線を設けることで，マット１００の折畳作業がスムーズになる。
【００３５】
また，図１（ａ）では，展開時のマット１００の長さが符号ｘで示され，展開時のマット１００の幅が符号ｙで示されている。本実施形態において，マット１００の長さｘは，第１の中央折目線１１と第２の中央折目線１２の長さの合計値と一致する。また，マット１００の幅ｙは，中央折目線１１，１２と直交する方向の幅を意味している。展開時のマット１００のサイズは，広げたときに利用者一人分の臀部を載せることができる程度であることが好ましい。例えば，マット１００の長さｘは，４００ｍｍ〜５００ｍｍ，又は５００ｍｍ〜６００ｍｍ程度であることが好ましい。
【００３６】
また，図１（ａ）では，長方形領域２１，２２の長辺の長さが符号Ｌで示され，短辺の長さが符号Ｓで示されている。この長方形領域２１，２２のサイズは，折畳時のマット１００のサイズに相当する。マット１００は，その折畳時において，鞄などに収納して持ち運びやすいサイズであることが好ましい。例えば，長方形領域２１，２２の長辺の長さＬは，１００ｍｍ〜２００ｍｍ，又は２００〜３００ｍｍ程度であることが好ましい。また，長方形領域２１，２２の短辺の長さＳは，５０ｍｍ〜１５０ｍｍ，又は１５０ｍｍ〜２００ｍｍ程度であることが好ましい。
【００３７】
続いて，マット１００の構成について詳しく説明する。図２は，図１に示した設計図に基づいて製造されたマット１００を示した平面図である。図２（ａ）は，展開状態のマット１００を示し，図２（ｂ）は，折畳状態のマット１００を示している。また，図３は，図２に示したＡ−Ａ線におけるマット１００の断面構造を示している。図２及び図３に示されるように，本実施形態に係るマット１００は，複数のクッション部材３０と，表面シート部材４０と，裏面シート部材５０とによって構成されている。なお，図２において，クッション部材３０は点線で示されている。
【００３８】
複数のクッション部材３０は，それぞれ，表面シート部材４０と裏面シート部材５０の間に介在する緩衝材である。クッション部材３０としては，一般的なクッションや，枕，座布団などに用いられる公知の緩衝材を採用することができる。例えば，クッション部材３０は，ウレタンフォームや，スポンジ，ゴム材，綿，アルファゲル，羽毛，プラスチックパイプ，又は木材パルプなどを用途に応じて用いることができる。クッション部材３０は，それぞれ，上述した長方形領域２１，２２と，三角形領域２３〜２６内に配置される。このため，長方形領域２１，２２内に配置されるクッション部材３０は，この長方形領域２１，２２の形状に対応した略長方形状に成型されていることが好ましい。同様に，三角形領域２３〜２６内に配置されるクッション部材３０は，この三角形領域２３〜２６の形状に対応した直角三角形状に成型されていることが好ましい。また，図３に示されるように，クッション部材３０は，所定の厚みＴを有している。クッション部材３０の厚みは，例えば，３ｍｍ〜２０ｍｍ又は５ｍｍ〜１０ｍｍとすることができる。
【００３９】
表面シート部材４０は，複数のクッション部材３０の表面側を被覆するシート状の部材である。表面シート部材４０は，マット１００の表面を形成する。ここにいう表面とは，基本的に，利用者が触れたり利用者の荷物が載置されたりする面を意味する。このため，マット１００の表面は，なるべく汚れなどが付着せずに，清潔に保たれていることが好ましい。表面シート部材４０は，例えば，手触りの良い布地や，皮革，合皮によって形成することができる。
【００４０】
裏面シート部材５０は，複数のクッション部材３０の裏面側を被覆するシート状の部材である。裏面シート部材５０は，マット１００の裏面を形成する。ここにいう裏面とは，基本的に，地面や床に直接接する面を意味する。このため，裏面シート部材５０は汚れが付着しやすいため，汚れが付着しにくい素材や付着した汚れを落としやすい素材によって形成されていることが好ましい。裏面シート部材５０は，例えば，ナイロンや，ポリエステル，ポリプロピレン，ポリエチレンなどの化学繊維からなる生地で形成されていることが好ましい。特に，裏面シート部材５０と表面シート部材４０とでは，その役割が異なるため，互いに異なる素材によって形成されていることが好ましい。ただし，裏面シート部材５０は，表面シート部材４０と同一の素材によって形成されていてもよい。また，裏面シート部材５０は，撥水性や防水性を高めるために，フッ素樹脂やシリコン樹脂によってコーティングすることとしてもよい。
【００４１】
図２及び図３に示されるように，表面シート部材４０と裏面シート部材５０は，クッション部材３０の間の隙間において互いに接合されている。本実施形態において，表面シート部材４０と裏面シート部材５０の接合は，糸による縫合により行われている。表面シート部材４０と裏面シート部材５０の縫合部位（接合部位）は，マット１００の外周と，各種の折目線１１〜１６とに沿って形成されている。特に，各種の折目線１１〜１６に沿って縫合を行う場合には，その縫合線が所定の間隔をあけて平行に並ぶ二重線をなすように，表面シート部材４０と裏面シート部材５０とが縫い合わされていることが好ましい。このような縫製方法を，２ラインステッチともいう。２ラインステッチを形成する縫合線の間隔は，例えば１ｍｍ〜１０ｍｍとすることが好ましい。このように，各種の折目線１１〜１６を２ラインステッチで形成することで，この折目線１１〜１６に沿って，マット１００を折り曲げ易くなる。なお，図２において，縫合線は破線で示されている。
【００４２】
図３の断面図に示されるように，表面シート部材４０と裏面シート部材５０を縫合する際には，表面シート部材４０を平坦に広げた状態において，裏面シート部材５０を表面シート部材４０に押し付けるようにして縫合することが好ましい。例えば，縫合工程においては，表面シート部材４０を平坦面に載置し，その上にクッション部材３０と裏面シート部材５０を重ねて，裏面シート部材５０側から縫合を行う。これにより，図３に示されるように，表面シート部材４０を平坦にしたまま，両者を縫い合わせることができる。このように表面シート部材４０と裏面シート部材５０とを縫合することで，マット１００を適切な方向，すなわち表面シート部材４０同士が互いに接する方向に折り畳み易くなる。なお，図３の断面図は，マット１００に形成される谷折り線となる傾斜折目線１３〜１６の断面状態を示している。上述したとおり，マット１００には，谷折り線の他に山折り線も形成されることとなるが，本実施形態においては，谷折り線の数の方が山折り線よりも多い。このため，少なくとも，谷折り線となる傾斜折目線１３〜１６の断面状態を，図３に示すような状態としておけば，マット１００を適切に折り畳むことができる。
【００４３】
また，図３の断面図に示されるように，クッション部材３０は，表面シート部材４０と裏面シート部材５０の一方に対してのみ，接着剤６０によって接着されていることが好ましい。本実施形態では，クッション部材３０と表面シート部材４０が接着されており，クッション部材３０と裏面シート部材５０は接着されていない。マット１００を折り畳むときには，特に裏面シート部材５０が引っ張られて多少伸びることとなる。このとき，クッション部材３０を表面シート部材４０と裏面シート部材５０の両方に接着していると，裏面シート部材５０が適切に伸びにくくなり，マット１００を折り畳みにくくなる。そこで，図３に示されるように，裏面シート部材５０が伸び縮みし易いように，クッション部材３０は，表面シート部材４０と裏面シート部材５０のいずれか一方，特に表面シート部材４０に対してのみ，接着剤６０で接着されていることが好ましい。
【００４４】
図４は，マット１００が折り畳まれる途中の状態を示している。図４に示されるように，マット１００は，表面シート部材４０同士が当接するように折り畳まれる。すなわち，マット１００を折り畳んだ状態において，表面シート部材４０は裏面シート部材５０に触れることがない。従って，裏面シート部材５０に付着している汚れなどが，表面シート部材４０に移るということもない。また，マット１００が折り畳まれた状態においては，表面シート部材４０が内側に位置し，裏面シート部材５０が外側に位置することとなる。このため，マット１００を収納しているときにも，表面シート部材４０を保護することができ，この表面シート部材４０に汚れが付着することを防止できる。これにより，表面シート部材４０が清潔に保たれる。
【００４５】
図５は，マット１００を完全に折り畳んだ状態を示している。図５に示されるように，マット１００は，平面視で略長方形となるように，コンパクトに折り畳むことができる（図２（ｂ）参照）。略長方形状に折り畳まれたマット１００は，例えば専用のケース（図示省略）などに収納して，持ち運ぶことが可能である。また，マット１００は，折り畳んだ状態においては図５に示されるような略長方形となるが，それを展開すると図２に示されるような折畳時の形状からは予測し得ないユニークな形状となる。これにより，利用者に対して驚きを与えることができるため，消費者の購買意欲を高めることができる。
【００４６】
ここまで，図１に示した設計図に基づいて製造したマット１００の実施形態について説明した。ただし，図１に示した設計図に基づく形状であれば，マット１００のその他の構造については適宜変更することが可能である。例えば，マット１００は，必ずしも表面シート部材４０と裏面シート部材５０の二面構造とする必要はなく，例えば裏面シート部材５０を省略することもできる。また，表面シート部材４０と裏面シート部材５０を，一枚の一体的なシート部材から構成することもできる。また，表面シート部材４０と裏面シート部材５０の間に，クッション部材３０を設けないようにすることもできる。さらに，表面シート部材４０と裏面シート部材５０の接合は，縫合によるものではなく，例えば接着剤や熱融着による接合を採用することもできる。
【００４７】
続いて，図６を参照して，マット１００の他のバリエーションについて説明する。
【００４８】
図６（ａ）は，展開時の形状が正方形状となるマット１００の形態を示している。このマット１００は，２つの主領域２１，２２が正方形状であり，４つの副領域２３，２４，２５，２６が二等辺三角形状である。折畳時のマット１００の形状は，主領域２１，２２と同じ正方形状となる。
【００４９】
図６（ｂ）は，展開時の形状が八角形状となるマット１００の形態を示している。具体的には，マット１００の外形をなす八角形は，その内角を見ると，９０度より小さい角と１８０度より大きい角とが交互に形成されている。このマット１００は，２つの主領域２１，２２が四角形状（正方形，長方形，平行四辺形を除く）であり，４つの副領域２３，２４，２５，２６が三角形状（正三角形，直角三角形を除く）である。折畳時のマット１００の形状は，主領域２１，２２と同じ四角形状となる。
【００５０】
図６（ｃ）は，展開時の形状が正六角形となるマット１００の形態を示している。このマット１００は，２つの主領域２１，２２と４つの副領域２３，２４，２５，２６が，すべて正三角形である。折畳時のマット１００の形状は，主領域２１，２２及び副領域２３，２４，２５，２６と同じ正三角形となる。
【００５１】
図６（ｄ）は，展開時の形状が正円となるマット１００の形態を示している。このマット１００は，２つの主領域２１，２２と４つの副領域２３，２４，２５，２６が，すべて中心角が６０度となる扇形である。折畳時のマット１００の形状は，主領域２１，２２及び副領域２３，２４，２５，２６と同じ扇形となる。
【００５２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【符号の説明】
【００５３】
１０…中心                          １１…第１の中央折目線
１２…第２の中央折目線              １３…第１の傾斜折目線
１４…第２の傾斜折目線              １５…第３の傾斜折目線
１６…第４の傾斜折目線              ２１…第１の主領域（長方形領域）
２２…第２の主領域（長方形領域）    ２３…第１の副領域（三角形領域）
２４…第２の副領域（三角形領域）    ２５…第３の副領域（三角形領域）
２６…第４の副領域（三角形領域）    ３０…クッション部材
４０…表面シート部材                ５０…裏面シート部材
６０…接着剤                        １００…マット
【要約】      （修正有）【課題】裏面が表面に直接触れることのないようにコンパクトに折り畳むことのできるマットを提供する。【解決手段】折り畳み可能なマット１００であって，複数の折目線１１〜１６と，マットの外縁と複数の折目線とによって区画された複数の領域２１〜２６と，を有する。複数の領域は，少なくとも２つの主領域２１，２２と４つの副領域２３，２４，２５，２６を含む。２つの主領域は，それぞれ，マットを二分する直線状の中央折目線１１，１２上に１つの頂点が位置し，当該中央折目線を対称軸として線対称となる形状である。４つの副領域は，それぞれ，中央折目線上に２つの頂点と１つの辺が位置し，他の１つの辺を前記２つの主領域のいずれかと共有する形状である。【選択図】図１【図１】
0005830738.tif 000002
【図２】
0005830738.tif 000003
【図３】
0005830738.tif 000004
【図４】
0005830738.tif 000005
【図５】
0005830738.tif 000006
【図６】
0005830738.tif 000007